(57)【要約】【課題】指に付着した内容物を容器で拭った場合に、拭われた内容物がねじ部に付着するのを防止して多条ねじによる優れた操作性を維持することができる多条ねじ式開閉容器を提供する。【解決手段】多条ねじ式開閉容器１０は、口部１４の外面に軸線Ｏ周りに間隔を置いて形成された複数のねじ部１４ａを有する容器本体１１と、容器本体１１のねじ部１４ａと螺合する複数のねじ部１９ａを有する有頂筒状のキャップ１２とを備える。多条ねじ式開閉容器１０はさらに、容器本体１１の口部１４に嵌合、保持されるベース２３と、ベース２３から容器本体１１の軸線Ｏ上向きに延出するとともにその上端部分が口部１４の内壁面に対して径方向内方へ突出する環状の返し部２４とを有する中栓１３を備えている。【選択図】図１
2018172147.tif 000002
【特許請求の範囲】
【請求項１】
口部の外面に軸線周りに間隔を置いて形成された複数のねじ部を有する容器本体と、前記容器本体のねじ部と螺合する複数のねじ部を有する有頂筒状のキャップとを備える多条ねじ式開閉容器であって、
前記容器本体の前記口部に嵌合、保持されるベースと、前記ベースから前記容器本体の軸線上向きに延出するとともにその上端部分が前記口部の内壁面に対して径方向内方へ突出する環状の返し部とを有する中栓を備えることを特徴とする多条ねじ式開閉容器。
【請求項２】
前記キャップはその頂壁下面より垂下するインナーリングを有し、
前記返し部は、前記上端部分の径方向内端に、斜め下方へ延びて前記キャップを閉める際に前記インナーリングに押圧されて弾性変形する傾斜端縁を有することを特徴とする、請求項１に記載の多条ねじ式開閉容器。
【請求項３】
前記インナーリングの外面に、前記キャップを閉める際に前記傾斜端縁によって乗り越えられる係止凸部が形成されていることを特徴とする、請求項２に記載の多条ねじ式開閉容器。
【請求項４】
前記返し部は、前記ベースにヒンジを介して開閉可能に連結されており、
前記返し部の閉状態にて前記返し部と前記ベースとの間に挟持される中蓋を備えることを特徴とする、請求項１から３までの何れか一項に記載の多条ねじ式開閉容器。
【請求項５】
前記ベースは、前記口部の上端面に凹設された環状溝内に嵌入、固定される環状壁を有することを特徴とする、請求項１から４までの何れか一項に記載の多条ねじ式開閉容器。
【発明の詳細な説明】
【技術分野】
【０００１】
この発明は、口部の外面に軸線周りに間隔を置いて形成された複数のねじ部を有する容器本体と、該容器本体のねじ部と螺合する複数のねじ部を有するキャップとを備える多条ねじ式開閉容器に関する。
【背景技術】
【０００２】
この種の容器として、特許文献１には、内容物を収容した容器本体と、容器本体の口部に着脱自在に螺着されて口部の上端開口を閉塞する有頂筒状のキャップと、を備え、口部およびキャップのそれぞれに形成されたねじ部が多条ねじとされた容器が開示されており、このような容器によれば、キャップを容器本体に着脱するに際して、キャップを容器本体に対して容器軸線周りに１回転未満回転させるだけで着脱できるので、着脱時の操作性を向上させることができる。また、このような容器では、キャップを容器本体の口部に被せるように載せるだけで、キャップはその自重によりある程度の所まで自動で閉まるので、キャップおよび容器本体のねじ部同士を噛み合わせる手間が省けるとともにキャップの回転操作量が減り、この点においても操作性に優れているといえる。
【先行技術文献】
【特許文献】
【０００３】
【特許文献１】特開２０１２−２３２７７３号公報
【発明の概要】
【発明が解決しようとする課題】
【０００４】
しかしながら、上記従来の容器では、指先に付着した内容物を容器本体の口部の縁で拭うなどした際、拭われた内容物が容器本体のねじ部に付着してキャップの作動を阻害し、キャップが自動で閉まらなくなるという事態が生じていた。
【０００５】
この発明は、上記従来技術の問題を解消し、指に付着した内容物を容器で拭った場合に、拭われた内容物がねじ部に付着するのを防止して多条ねじによる優れた操作性を維持することができる多条ねじ式開閉容器を提供することを目的とする。
【課題を解決するための手段】
【０００６】
この発明の多条ねじ式開閉容器は、上記課題を解決するため、口部の外面に軸線周りに間隔を置いて形成された複数のねじ部を有する容器本体と、前記容器本体のねじ部と螺合する複数のねじ部を有する有頂筒状のキャップとを備える多条ねじ式開閉容器であって、前記容器本体の前記口部に嵌合、保持されるベースと、前記ベースから前記容器本体の軸線上向きに延出するとともにその上端部分が前記口部の内壁面に対して径方向内方へ突出する環状の返し部とを有する中栓を備えている。
【０００７】
なお、この発明の多条ねじ式開閉容器にあっては、前記キャップはその頂壁下面より垂下するインナーリングを有し、前記返し部は、前記上端部分の径方向内端に、斜め下方へ延びて前記キャップを閉める際に前記インナーリングに押圧されて弾性変形する傾斜端縁を有することが好ましい。
【０００８】
また、この発明の多条ねじ式開閉容器にあっては、前記インナーリングの外面に、前記キャップを閉める際に前記傾斜端縁によって乗り越えられる係止凸部が形成されていることが好ましい。
【０００９】
さらに、この発明の多条ねじ式開閉容器にあっては、前記返し部は、前記ベースにヒンジを介して開閉可能に連結されており、前記返し部の閉状態にて前記返し部と前記ベースとの間に挟持される中蓋を備えることが好ましい。
【００１０】
加えて、この発明の多条ねじ式開閉容器にあっては、前記ベースは、前記口部の上端面に凹設された環状溝内に嵌入、固定される環状壁を有することが好ましい。
【発明の効果】
【００１１】
この発明の多条ねじ式開閉容器によれば、容器本体のねじ部から離れた位置に径方向内方へ突出する返し部が設けられているので、指先に付着した内容物をこの返し部で拭っても、拭われた内容物は返し部の内側に留まり、容器本体のねじ部に付着しにくい。したがって、拭われた内容物が容器本体のねじ部に付着してキャップの作動が阻害される事態を防止することができ、多条ねじによる優れた操作性を維持することができる。また、返し部を有する中栓は、容器本体とは別部材として成形されているので、容器本体の成形性を阻害することなく容器本体側に返し部を設けることができる。
【図面の簡単な説明】
【００１２】
【図１】この発明の一実施形態の多条ねじ式開閉容器を一部省略しかつ一部断面で示す側面図である。
【図２】図１中のＡ−Ａ線に沿う断面図である。
【図３】図１の容器において、中栓の返し部の弾性変形の様子を説明する図であり、（ａ）はキャップを閉めるときのものであり、（ｂ）はキャップが閉められた状態から開けられようとしたときのものである。
【図４】図２中のＢ−Ｂ線に沿う断面図である。
【図５】図２中のＣ−Ｃ線に沿う断面図である。
【図６】指に付着したクリーム状の内容物を中栓の返し部で拭う様子を示した図である。
【図７】この発明の他の実施形態の多条ねじ式開閉容器の断面図である。
【図８】図７の容器における中栓を示しており、（ａ）は平面図であり、（ｂ）は（ａ）中のＤ−Ｄ線に沿う断面図である。
【発明を実施するための形態】
【００１３】
以下、この発明の実施の形態を図面を参照して説明する。図１は、この発明の一実施形態の多条ねじ式開閉容器（以下、単に「容器」という。）を一部省略しかつ一部断面で示す側面図であり、図２は、図１中のＡ−Ａ線に沿う断面図であり、図３は、図１の容器において、中栓の返し部の弾性変形の様子を説明する図であり、（ａ）はキャップを閉めるときのものであり、（ｂ）はキャップが閉められた状態から開けられようとしたときのものであり、図４は、図２中のＢ−Ｂ線に沿う断面図であり、図５は、図２中のＣ−Ｃ線に沿う断面図である。
【００１４】
図１に示される容器１０は、クリーム状やジェル状の化粧品等の内容物を収容するのに適したジャー容器である。容器１０は、内容物の収容空間Ｕを形成する容器本体１１と、容器本体１１の収納空間Ｕを閉塞する有頂筒状のキャップ１２と、中栓１３とを備えており、これらの各部材１１，１２，１３は各々、ポリプロピレンやポリエチレン等の合成樹脂からなるとともに射出成形や圧縮成形等によって製作される。特に中栓１３には、ポリエチレンやエラストマー等の軟材質の合成樹脂を使用することが好ましい。このような軟材質の合成樹脂を用いることで中栓１３を弾性変形し易くすることができ、後述のように指に付着した内容物を中栓１３で拭う際により確実に拭うことができるからである。
【００１５】
容器本体１１は、筒状の口部１４と、口部１４から下方に延びる有底筒状の胴部１５とを有している。口部１４の外周面には複数のねじ部（おねじ部）１４ａが螺旋状に形成されている。ねじ部１４ａはそれぞれ、同一のリード角で構成されており、軸線Ｏ周りに互いに間隔を置いて形成されている。
【００１６】
胴部１５は側壁部分１５ａと底壁部分１５ｂとからなり、それらが交わる角部には丸みが形成され、内容物が取り易くなっている。また、胴部１５の側壁部分１５ａの外面にはその下端が接地部となる環状のスカート壁１７が一体的に形成されている。
【００１７】
キャップ１２は、容器本体１１の上端開口を覆う頂壁１８と、頂壁１８の周縁から垂下する周壁１９とからなる。周壁１９の内周面には複数のねじ部（めねじ部）１９ａが形成されている。ねじ部１９ａはそれぞれ、同一のリード角で構成されており、軸線Ｏ周りに互いに間隔を置いて形成されている。これにより、キャップ１２を容器本体１１の口部１４に被せて軸線Ｏ周りに閉方向へ回転させることで、キャップ１２を容器本体１１の口部１４に締結することができる。
【００１８】
キャップ１２の頂壁１８には収容空間Ｕへ向けてインナーリング２１が垂設されている。インナーリング２１の下端外面には先細り形状とする傾斜面２１ａが形成されている。また、インナーリング２１の外面には、キャップ１２の開放に伴う上昇時に中栓１３の後述する返し部に係止される係止凸部２１ｂが形成されている。係止凸部２１ｂは、図示例では環状リブで構成されるが、これに限定されずインナーリング２１に間欠的に形成された突起またはリブで構成してもよい。キャップ１２の頂壁１８の上面外周縁には、図中仮想線で示される他の容器１０のスカート壁１７が載置される環状の窪み１８ａが形成されている。これにより、容器１０を安定して積み重ねることができる。
【００１９】
中栓１３は、容器本体１１の口部１４に嵌合、保持されるベース２３と、ベース２３から容器本体１１の軸線Ｏ上向きに延出しその上端部分が口部１４の内壁面に対して径方向内方へ突出する環状の返し部２４とを一体的に有している。
【００２０】
より具体的には、ベース２３は、図２に示すように口部１４の上端面に対向配置されるフランジ２５と、該フランジ２５から軸線Ｏ下向きに延出する環状壁２６とからなる。環状壁２６は、口部１４の上端面に凹設された環状溝２７内に嵌入、固定されている。環状溝２７の溝壁にはアンダーカット２７ａが形成され、この溝壁に対向する環状壁２６の壁面にはアンダーカット２７ａに係止される被係止部２６ａが形成されている。図示例では、アンダーカット２７ａおよび被係止部２６ａは共に、環状リブで構成されているが、これに限定されず間欠リブや突起あるいは凹部と凸部との組み合わせでもよい。また、図示例では、アンダーカット２７ａおよび被係止部２６ａは３つずつ設けられているが、少なくとも各１つあればよく、４つ以上設けてもよい。
【００２１】
返し部２４は、ベース２３のフランジ２５の径方向内縁から軸線Ｏに沿って立ち上がる筒壁２９と、筒壁２９の上端から径方向内側に延出してキャップ１２のインナーリング２１の外面に当接する環状突片３０とからなる。環状突片３０の先端（径方向内端）には、屈曲部３０ａを経て下方へ向けて傾斜する傾斜端縁３０ｂが形成されている。これにより、図３（ａ）に示すキャップ１２の閉操作に伴う下降時では、傾斜端縁３０ｂは、インナーリング２１によって押圧されて屈曲部３０ａを基点に下方に弾性変形し、インナーリング２１は返し部２４の開口内にスムーズに挿入される。一方、図３（ｂ）に示すキャップ１２の閉栓状態において、容器１０に振動や衝撃が加わる等によってキャップ１２が開方向へ回転しようとすると、インナーリング２１の係止凸部２１ｂが環状突片３０の傾斜端縁３０ｂに引っ掛かり、該傾斜端縁３０ｂが屈曲部３０ａを基点に突っ張る方向に変形するため、インナーリング２１は返し部２４と強固に嵌合し、キャップ１２の上方への移動は規制される。したがって、携帯時等における意図しないキャップ１２の緩みやキャップ外れは防止される。
【００２２】
また、実施形態の容器１０では、更なるキャップ緩み抑制効果を得るため、図１および図４に示すように、容器本体１１の外面の、ねじ部１４ａの下端に隣接する位置に凸部３２が設けられている。図４は、図２中のＢ−Ｂ線に沿う断面図である。キャップ１２を容器本体１１に対して軸線Ｏ周りに閉方向へ最終締結位置まで回転させると、キャップ１２のねじ部１９ａが凸部３２を乗り上げてねじ部１９ａと凸部３２間の摩擦が増大するので、キャップ１２の緩みは抑制される。
【００２３】
また、実施形態の容器１０では、図１および図５に示すように、胴部１５の上端部に音出し用の振動板３４が設けられている。図５は図２中のＣ−Ｃ線に沿う断面図である。一方、胴部１５の上端部に対向する、キャップ１２の周壁１９の内周面下端には、図１および図５に示すように、キャップ１２のねじ込みに伴い振動板３４を乗り越える複数のリブ３５が軸線Ｏ周りに間隔を置いて形成されている。これにより、キャップ１２のねじ込みに伴い一定の間隔でクリック音（クリック感）を生じさせることができる。
【００２４】
このように構成された容器１０では、容器本体１１のねじ部１４ａから離れた位置に径方向内方へ突出する返し部２４が設けられているので、図６に示すように、指先に付着した内容物をこの返し部２４で拭っても、拭われた内容物は返し部２４の内側に留まり、容器本体１１のねじ部１４ａに付着しにくい。したがって、拭われた内容物が容器本体１１のねじ部１４ａに付着してキャップ１２の作動が阻害される事態を防止することができ、多条ねじによる優れた操作性を維持することができる。また、返し部２４を有する中栓１３は、容器本体１１とは別部材として成形されているので、容器本体１１の成形性を阻害することなく容器本体１１側に返し部２４を設けることができる。
【００２５】
また、この実施形態の容器１０によれば、返し部２４の径方向内端にキャップ１２のねじ込みに伴う下降時にインナーリング２１に押圧されて弾性変形する傾斜端縁３０ｂを設けたことから、図３（ａ）を参照して説明したように、該傾斜端縁３０ｂを、インナーリング２１の傾斜面２１ａによるガイド下で下方に変形（ベンド）させてインナーリング２１を返し部２４の開口内へスムーズに挿入することができる。
【００２６】
さらに、この実施形態の容器１０によれば、インナーリング２１の外面に返し部２４の傾斜端縁３０ｂに係止される係止凸部２１ｂを設けたことから、図３（ｂ）を参照して説明したように、キャップ１２が開方向へ回転しようとした際に、インナーリング２１の係止凸部２１ｂを返し部２４の傾斜端縁３０ｂに強固に嵌合させてキャップ１２の上方への移動を規制することができ、携帯時等における意図しないキャップ１２の緩みやキャップ外れを防止することができる。
【００２７】
図７は、この発明の他の実施形態の容器の断面図であり、図８はその容器に設けられた中栓を示し、（ａ）は平面図であり、（ｂ）は（ａ）中のＤ−Ｄ線に沿う断面図である。なお、先の実施形態で説明した部材または部分と同様の部材または部分については同一の符号を付し、詳細な説明は適宜省略する。
【００２８】
この実施形態の容器１０は、図７に示すように、容器本体１１の口部１４とキャップ１２との間に中蓋（パッキン）３７を備える点で先の実施形態の容器１０とは異なる。中栓１３は、図８に示すようにベース２３と返し部２４とがヒンジ３８を介して開閉可能に連結された構造を有しており、中蓋３７は、返し部２４の下端に形成されたフランジ４０とベース２３のフランジ２５との間に挟持されている。中栓１３の、ヒンジ３８の対向位置には、返し部２４とベース２３とを離脱可能に係止して返し部２４の閉状態を維持する係止部４２が設けられており、係止部４２は、ベース２３の環状壁２６上端に形成されたアンダーカット４２ａと、返し部２４のフランジ４０を部分的に切り欠いて形成された指掛け片４３より垂下し、このアンダーカット４２ａに嵌合する係止片４２ｂとからなる。そして、製品を使用する際は、キャップ１２を開栓し、ヒンジ３８を介して中栓１３を一度開放させた後、中蓋３７を外してから使用することができる。
【００２９】
このように、容器本体１１の口部１４とキャップ１２との間に中蓋３７を設けることにより、収納空間Ｕに内容物として粘度の低いものを収容した場合でも、輸送時等に内容物がキャップ１２内面に付着し、キャップ１２の開栓時に内容物が糸引きする等で周辺を汚してしまうという不具合を防止することができる。また、この実施形態の容器１０によれば、返し部２４をヒンジ３８を基点として開くことで、返し部２４の内側に溜まった内容物を容易に拭い取ることができるという利点もある。
【産業上の利用可能性】
【００３０】
この発明によれば、指に付着した内容物を容器で拭った場合に、拭われた内容物がねじ部に付着するのを防止して多条ねじによる優れた操作性を維持することができる多条ねじ式開閉容器を提供することができる。
【符号の説明】
【００３１】
１０  多条ねじ式容器
１１  容器本体
１２  キャップ
１３  中栓
１４  口部
１５  胴部
１７  スカート壁
２１  インナーリング
２１ａ  傾斜面
２１ｂ  係止凸部
２３  ベース
２４  返し部
２５  フランジ
２６  環状壁
２７  環状溝
２９  筒壁
３０  環状突片
３０ａ  屈曲部
３０ｂ  傾斜端縁
３７  中蓋
３８  ヒンジ
４０  フランジ
【図１】
2018172147.tif 000003
【図２】
2018172147.tif 000004
【図３】
2018172147.tif 000005
【図４】
2018172147.tif 000006
【図５】
2018172147.tif 000007
【図６】
2018172147.tif 000008
【図７】
2018172147.tif 000009
【図８】
2018172147.tif 000010